(57)【要約】【課題】オゾン水よりも状態が安定しており且つ後処理が容易な除菌水を用いて、室内の空気を効率良く除菌できる空気清浄装置を提供する。【解決手段】空気清浄装置（10）は、空気中の菌を捕捉する電気集菌部（20）と、電気集菌部（20）で捕捉した菌に過酸化水素水を供給する供給ユニット（60）とを備えている。供給ユニット（60）の貯留タンク（61）内には、放電ユニット（62）が配置される。放電ユニット（62）は、貯留タンク（61）の水中でストリーマ放電を生起する電極対（64,65）と、電極対（64,65）に直流電圧を印加する直流電源（70）とを有し、ストリーマ放電によって貯留タンク（61）の水中に過酸化水素を生成する。噴霧ノズル（50）は、貯留タンク（61）内の過酸化水素水を電気集菌部（20）に噴霧する。【選択図】図１
2012075485.tif 000002
【特許請求の範囲】
【請求項１】
空気を除菌して浄化する空気清浄装置であって、
空気中の菌を捕捉する集菌部（20）と、
前記集菌部（20）で捕捉した菌に過酸化水素水を供給する供給部（60）とを備えたことを特徴とする空気清浄装置。
【請求項２】
請求項１において、
前記供給部（60）は、水を貯留する貯留タンク（61）と、該貯留タンク（61）の水中でストリーマ放電を生起する電極対（64,65）と、該電極対（64,65）に直流電圧を印加する直流電源（70）とを有し、該ストリーマ放電によって該貯留タンク（61）の水中に過酸化水素を生成するように構成されていることを特徴とする空気清浄装置。
【請求項３】
請求項１又は２において、
前記集菌部（20）と前記供給部（60）とを収容するケーシング（11）を備えたことを特徴とする空気清浄装置。
【請求項４】
請求項１乃至３のうち何れか１つにおいて、
前記供給部（60）は、前記集菌部（20）で捕捉した菌に過酸化水素水を噴霧して供給する噴霧部（50）を有することを特徴とする空気清浄装置。
【請求項５】
請求項１乃至４のうち何れか１つにおいて、
前記集菌部（20）は、空気中で帯電させた菌を電気的に誘引する電気集塵部（25）を有することを特徴とする空気清浄装置。
【請求項６】
請求項１乃至４のうち何れか１つにおいて、
前記集菌部（20）は、空気清浄フィルタ（27）を有することを特徴とする空気清浄装置。
【請求項７】
請求項１乃至６のうち何れか１つにおいて、
前記集菌部（20）に供給された過酸化水素水を回収して前記貯留タンク（61）に戻す水回収部（53）を備えたことを特徴とする空気清浄装置。
【発明の詳細な説明】
【技術分野】
【０００１】
本発明は、空気清浄装置に関するものである。
【背景技術】
【０００２】
従来より、空気を除菌する空気清浄装置が広く知られている。例えば、特許文献１には、オゾン水を処理施設内に噴霧して洗浄脱臭することが開示されている。ところで、オゾンは、空気中で分解され易い特性を有する。そのため、常にオゾン水を生成し続ける必要があるとともに、オゾン水の分解が促進されて、十分な除菌性能を得ることができないという問題がある。そこで、特許文献２には、オゾンの分解速度を遅延させるようにした技術が開示されている。
【先行技術文献】
【特許文献】
【０００３】
【特許文献１】特開２０１０−４６５７３号公報
【特許文献２】特開２００１−２５２６６４号公報
【発明の概要】
【発明が解決しようとする課題】
【０００４】
しかしながら、除菌、脱臭、及び有害物質の除去を行うためにオゾン水を用いる場合には、オゾンガスを水中に溶解させる溶解効率が低いために大量のオゾンガスの発生が必要である上、余剰のオゾンガスの処理も必要になるという問題がある。また、オゾンガスは状態が不安定なためすぐに消失してしまうという問題がある。
【０００５】
さらに、廃オゾン処理に費用がかかるという問題がある。具体的に、オゾンガスの気泡は浮力によって上昇し、すぐに水面に至ってしまう。これにより、水中で反応しなかった余剰オゾンが大気中に放出されるため、密閉された室内で長時間使用した場合、室内のオゾン濃度が環境基準を越えるおそれがある。そこで、水中に拡散したオゾンガスのうち水に溶け込まなかったオゾンガスを捕集容器で捕集し、捕集したオゾンガスをオゾン分解触媒で分解した後で大気中に放出する等の対策を施す必要があり、費用がかかってしまう。
【０００６】
本発明は、かかる点に鑑みてなされたものであり、その目的は、オゾン水よりも状態が安定しており且つ後処理が容易な除菌水を用いて、室内の空気を効率良く除菌できる空気清浄装置を提供することにある。
【課題を解決するための手段】
【０００７】
本発明は、空気を除菌して浄化する空気清浄装置を対象とし、次のような解決手段を講じた。
【０００８】
すなわち、第１の発明は、空気中の菌を捕捉する集菌部（20）と、
前記集菌部（20）で捕捉した菌に過酸化水素水を供給する供給部（60）とを備えたことを特徴とするものである。
【０００９】
第１の発明では、集菌部（20）によって空気中の菌が捕捉される。集菌部（20）で捕捉した菌は、供給部（60）から供給される過酸化水素水によって除菌される。
【００１０】
このような構成とすれば、集菌部（20）で空気中の菌を捕捉した後、この菌に対して除菌・脱臭能力に優れた過酸化水素水を供給するため、室内の広範囲に過酸化水素水を散布する場合に比べてその使用量が少量で済むとともに確実に除菌することができる。
【００１１】
ここで、除菌水としてオゾンガスを溶解させたオゾン水を用いる場合には、オゾンガスを水中に溶解させる溶解効率が低いために大量のオゾンガスの発生が必要である上、余剰のオゾンガスの処理も必要になるという問題がある。また、オゾンガスは状態が不安定なためすぐに消失してしまうという問題がある。
【００１２】
これに対し、本発明では、除菌水として過酸化水素水を用いている。過酸化水素水は、オゾン水よりも状態が安定しているので残存性が高い。そのため、集菌部（20）の内部に過酸化水素水が浸透するまでの間、除菌効果を持続させることができ、雑菌の除菌を効率的に行うことができる。また、過酸化水素は、分解しても酸素になるだけなので、オゾンガスのように後処理が必要となることがなく、取り扱いが容易である。
【００１３】
第２の発明は、第１の発明において、
前記供給部（60）は、水を貯留する貯留タンク（61）と、該貯留タンク（61）の水中でストリーマ放電を生起する電極対（64,65）と、該電極対（64,65）に直流電圧を印加する直流電源（70）とを有し、該ストリーマ放電によって該貯留タンク（61）の水中に過酸化水素を生成するように構成されていることを特徴とするものである。
【００１４】
第２の発明では、供給部（60）において、直流電源（70）から電極対（64,65）に直流電圧が印加される。これにより、貯留タンク（61）の水中では、ストリーマ放電が生起され、このストリーマ放電に伴って貯留タンク（61）の水中では、過酸化水素が生成される。
【００１５】
このような構成とすれば、ストリーマ放電によって貯留タンク（61）内に過酸化水素が生成されるため、この過酸化水素を含む除菌水を集菌部（20）で捕捉した菌に供給して除菌することができる。また、水中では、ストリーマ放電の発生に伴い、水酸ラジカル等の活性種も生成される。このため、水中に含まれる有害物質（例えば硫黄系化合物）を、活性種によって酸化分解して除去することができる。
【００１６】
また、直流電源（70）を用いてストリーマ放電を行っているので、例えばパルス電源と比較して、電源部の簡素化、低コスト化、小型化を図ることができる。また、パルス電源を用いると、放電に伴って水中で発生する衝撃波や騒音が大きくなってしまう。これに対し、直流電源（70）を用いると、このような衝撃波や騒音も低減できる。
【００１７】
第３の発明は、第１又は第２の発明において、
前記集菌部（20）と前記供給部（60）とを収容するケーシング（11）を備えたことを特徴とするものである。
【００１８】
第３の発明では、ケーシング（11）内に集菌部（20）と供給部（60）とが収容される。このような構成とすれば、集菌部（20）と供給部（60）とを一体化させて１つのユニットとして取り扱うことができる。
【００１９】
第４の発明は、第１乃至第３の発明のうち何れか１つにおいて、
前記供給部（60）は、前記集菌部（20）で捕捉した菌に過酸化水素水を噴霧して供給する噴霧部（50）を有することを特徴とするものである。
【００２０】
第４の発明では、噴霧部（50）によって過酸化水素水を噴霧することで、集菌部（20）で捕捉した菌を除菌している。このような構成とすれば、集菌部（20）の広範囲に亘って過酸化水素水を噴霧することができ、過酸化水素水の使用量を抑えつつ除菌することができる。
【００２１】
第５の発明は、第１乃至第４の発明のうち何れか１つにおいて、
前記集菌部（20）は、空気中で帯電させた菌を電気的に誘引する電気集塵部（25）を有することを特徴とするものである。
【００２２】
第５の発明では、空気中の菌が帯電されると、電気集塵部（25）に向かって電気的に誘引されて捕捉される。このような構成とすれば、電気集塵部（25）で空気中の菌を捕捉した後、この菌に対して過酸化水素水を供給するため、確実に除菌することができる。
【００２３】
第６の発明は、第１乃至第４の発明のうち何れか１つにおいて、
前記集菌部（20）は、空気清浄フィルタ（27）を有することを特徴とするものである。
【００２４】
第６の発明では、空気清浄フィルタ（27）によって空気中の菌が捕捉される。このような構成とすれば、空気清浄フィルタ（27）で空気中の菌を捕捉した後、この菌に対して過酸化水素水を供給するため、確実に除菌することができる。
【００２５】
第７の発明は、第１乃至第６の発明のうち何れか１つにおいて、
前記集菌部（20）に供給された過酸化水素水を回収して前記貯留タンク（61）に戻す水回収部（53）を備えたことを特徴とするものである。
【００２６】
第７の発明では、集菌部（20）に過酸化水素水が供給されると、水回収部（53）によってその水が回収され、貯留タンク（61）に戻される。このような構成とすれば、残存性が高い過酸化水素を含む水を除菌水として再利用することができる。これにより、集菌部（20）に供給された水を循環させて貯留タンク（61）に回収させることができ、貯留タンク（61）に給水する手間が軽減される。
【発明の効果】
【００２７】
本発明では、集菌部（20）で空気中の菌を捕捉した後、この菌に対して除菌・脱臭能力に優れた過酸化水素水を供給するため、室内の広範囲に過酸化水素水を散布する場合に比べてその使用量が少量で済むとともに確実に除菌することができる。ここで、過酸化水素水は、オゾン水よりも状態が安定しているので残存性が高い。そのため、集菌部（20）の内部に過酸化水素水が浸透するまでの間、除菌効果を持続させることができ、雑菌の除菌を効率的に行うことができる。また、過酸化水素は、分解しても酸素になるだけなので、オゾンガスのように後処理が必要となることがなく、取り扱いが容易である。
【図面の簡単な説明】
【００２８】
【図１】図１は、実施形態１に係る空気清浄装置の内部構成を示す側面断面図である。
【図２】図２は、実施形態１に係る放電ユニットの全体構成図であり、放電動作を開始する前の状態を示すものである。
【図３】図３は、実施形態１に係る絶縁ケーシングの斜視図である。
【図４】図４は、実施形態１に係る放電ユニットの全体構成図であり、放電動作を開始して気泡が形成された状態を示すものである。
【図５】図５は、実施形態１の変形例に係る放電ユニットの全体構成図である。
【図６】図６は、実施形態１の変形例に係る絶縁ケーシングの斜視図である。
【図７】図７は、実施形態２に係る放電ユニットの全体構成図であり、放電動作を開始する前の状態を示すものである。
【図８】図８は、実施形態２に係る放電ユニットの全体構成図であり、放電動作を開始して気泡が形成された状態を示すものである。
【図９】図９は、実施形態２の変形例に係る絶縁ケーシングの蓋部の平面図である。
【図１０】図１０は、その他の実施形態に係る空気清浄装置の内部構成を示す側面断面図である。
【発明を実施するための形態】
【００２９】
以下、本発明の実施形態を図面に基づいて詳細に説明する。なお、以下の実施形態は、本質的に好ましい例示であって、本発明、その適用物、あるいはその用途の範囲を制限することを意図するものではない。
【００３０】
《実施形態１》
図１は、本発明の実施形態１に係る空気清浄装置の内部構成を示す側面断面図である。図１に示すように、この空気清浄装置（10）は、空気中に含まれる菌を除去して空気を浄化するものであり、クリーンルーム等で使用される。
【００３１】
空気清浄装置（10）は、縦長のケーシング（11）を備えている。ケーシング（11）は、中空の矩形状に形成されている。ケーシング（11）の下部の側面には、吸込口（12）が開口している。また、ケーシング（11）の上部には、吹出口（13）が開口している。吹出口（13）には、空気を送風するための送風ファン（14）が設けられている。
【００３２】
ケーシング（11）には、吸込口（12）から吹出口（13）に亘って空気が流れる空気通路（15）が形成されている。すなわち、ケーシング（11）では、空気が上方に向かって流れるように空気通路（15）が形成されている。また、ケーシング（11）には、その底部に排水槽（16）が形成されている。排水槽（16）には、後述する噴霧ノズル（50）から噴霧された水が回収されて貯留される。
【００３３】
空気通路（15）には、電気集菌部（20）が設けられている。この電気集菌部（20）は、荷電電極部（21）と、電気集塵部としての集菌電極部（25）とを備えている。
【００３４】
荷電電極部（21）は、線状電極（22）と、この線状電極（22）に対向する板状電極（23）とを備えている。荷電電極部（21）は、両電極に電源（図示省略）から電圧を印加してコロナ放電を生起させ、空気中の菌を所定の電荷（正又は負の電荷）に帯電させるように構成されている。
【００３５】
集菌電極部（25）は、複数の電極板（26）を備えている。空気通路（15）では、複数の電極板（26）が鉛直方向に立設するように保持されながら所定の間隔を介して平行に配列されている。荷電電極部（21）で帯電した菌は、集菌電極部（25）に電気的に誘引されて捕捉される。
【００３６】
電気集菌部（20）よりも上方には、供給ユニット（60）が設けられている。供給ユニット（60）は、貯留タンク（61）と、噴霧ノズル（50）とを備えている。貯留タンク（61）内には、放電ユニット（62）が配置されている（図２参照）。放電ユニット（62）は、貯留タンク（61）の水中でストリーマ放電を行うことで過酸化水素を生成するものであり、詳しくは後述する。
【００３７】
噴霧ノズル（50）は、貯留タンク（61）内で生成された過酸化水素水を電気集菌部（20）の集菌電極部（25）で捕捉された菌に向かって噴霧するものである。なお、噴霧ノズル（50）は、超音波によって気化させた過酸化水素水を集菌電極部（25）に供給するようにした構成であってもよい。
【００３８】
貯留タンク（61）には、流入管（51）及び流出管（52）が接続されている。流入管（51）は、排水槽（16）と繋がっている。つまり、流入管（51）は、排水槽（16）に溜まった水を貯留タンク（61）へ送るための流路を構成している。また、流入管（51）には、水回収部としてのポンプ（53）が設けられている。ポンプ（53）は、排水槽（16）に溜まった水を貯留タンク（61）まで汲み上げるものである。このように、噴霧水を循環させて貯留タンク（61）に回収させても、過酸化水素は残存性が高いため除菌水として再利用することができる。そのため、貯留タンク（61）に給水する手間を軽減できる。
【００３９】
流出管（52）は、噴霧ノズル（50）に接続されている。噴霧ノズル（50）は、電気集菌部（20）で捕捉した菌に過酸化水素水を噴霧するものであり、その噴霧口が下方を向いている。
【００４０】
〈放電ユニットの詳細構造〉
図２に示すように、放電ユニット（62）は、放電電極（64）及び対向電極（65）からなる電極対（64,65）と、この電極対（64,65）に電圧を印加する電源部（70）と、放電電極（64）を内部に収容する絶縁ケーシング（71）とを備えている。
【００４１】
電極対（64,65）は、水中でストリーマ放電を生起するためのものである。放電電極（64）は、絶縁ケーシング（71）の内部に配置されている。放電電極（64）は、上下に扁平な板状に形成されている。放電電極（64）は、電源部（70）の正極側に接続されている。放電電極（64）は、例えばステンレス、銅等の導電性の金属材料で構成されている。
【００４２】
対向電極（65）は、絶縁ケーシング（71）の外部に配置されている。対向電極（65）は、放電電極（64）の上方に設けられている。対向電極（65）は、上下に扁平な板状であって、且つ上下に複数の貫通孔（66）を有するメッシュ形状ないしパンチングメタル形状に構成されている。対向電極（65）は、放電電極（64）と略平行に配設されている。対向電極（65）は、電源部（70）の負極側に接続されている。対向電極（65）は、例えばステンレス、真鍮等の導電性の金属材料で構成されている。
【００４３】
電源部（70）は、電極対（64,65）に所定の直流電圧を印加する直流電源で構成されている。すなわち、電源部（70）は、電極対（64,65）に対して瞬時的に高電圧を繰り返し印加するようなパルス電源ではなく、電極対（64,65）に対して常に数キロボルトの直流電圧を印加する。電源部（70）のうち、対向電極（65）が接続される負極側は、アースと接続されている。また、電源部（70）には、電極対（64,65）の放電電力を一定に制御する定電力制御部が設けられている（図示省略）。
【００４４】
絶縁ケーシング（71）は、貯留タンク（61）の底部に設置されている。絶縁ケーシング（71）は、例えばセラミックス等の絶縁材料で構成されている。絶縁ケーシング（71）は、一面（上面）が開放された容器状のケース本体（72）と、該ケース本体（72）の上方の開放部を閉塞する板状の蓋部（73）とを有している。
【００４５】
ケース本体（72）は、角型筒状の側壁部（72a）と、該側壁部（72a）の底面を閉塞する底部（72b）とを有している。放電電極（64）は、底部（72b）の上側に敷設されている。絶縁ケーシング（71）では、蓋部（73）と底部（72b）との間の上下方向の距離が、放電電極（64）の厚さよりも長くなっている。つまり、放電電極（64）と蓋部（73）との間には、所定の間隔が確保されている。これにより、絶縁ケーシング（71）の内部では、放電電極（64）とケース本体（72）と蓋部（73）との間に空間（S）が形成される。  
【００４６】
図２及び図３に示すように、絶縁ケーシング（71）の蓋部（73）には、該蓋部（73）を厚さ方向に貫通する１つの開口（74）が形成されている。この開口（74）により、放電電極（64）と対向電極（65）との間の電界の形成が許容されている。蓋部（73）の開口（74）の内径は、０．０２ｍｍ以上０．５ｍｍ以下であることが好ましい。以上のような開口（74）は、電極対（64,65）の間の電流経路の電流密度を上昇させる電流密度集中部を構成する。
【００４７】
以上のように、絶縁ケーシング（71）は、電極対（64,65）のうちの一方の電極（放電電極（64））のみを内部に収容し、且つ電流密度集中部としての開口（74）を有する絶縁部材を構成している。
【００４８】
加えて、絶縁ケーシング（71）の開口（74）内では、電流経路の電流密度が上昇することで、水がジュール熱によって気化して気泡（B）が形成される。つまり、絶縁ケーシング（71）の開口（74）は、該開口（74）に気相部としての気泡（B）を形成する気相形成部として機能する。
【００４９】
−空気清浄装置の運転動作−
次に、本実施形態１に係る空気清浄装置（10）の運転動作について説明する。図１に示すように、空気清浄装置（10）の運転時には、送風ファン（14）及びポンプ（53）が運転状態となる。また、電源から荷電電極部（21）の線状電極（22）及び板状電極（23）へ電圧が印加される。また、集菌電極部（25）の複数の電極板（26）へも電圧が印加される。
【００５０】
送風ファン（14）の起動に伴い、室内の空気が吸込口（12）よりケーシング（11）内へ吸い込まれる。ケーシング（11）内の空気通路（15）を流れる空気は、上方へ流れて荷電電極部（21）を通過する。
【００５１】
荷電電極部（21）では、空気が線状電極（22）と板状電極（23）との間を通過する。ここで、両電極間では、コロナ放電が行われている。このコロナ放電により、空気中の菌等がマイナスの電荷に帯電する。その後、空気は集菌電極部（25）の複数の電極板（26）間を通過する。その結果、マイナスの電荷に帯電した菌等は、正極側となる集菌電極部（25）の電極板（26）表面に付着する。具体的に、集菌電極部（25）では、電極板（26）の表面に菌等が電気的に誘引されて捕捉される。これにより、空気中の菌等が除去される。
【００５２】
ところで、上述した運転動作においては、空気中に含まれる菌が集菌電極部（25）の表面に次々と付着していく。そこで、本実施形態１では、噴霧ノズル（50）から噴霧される過酸化水素水を利用して集菌電極部（25）を除菌するようにしている。
【００５３】
具体的には、噴霧ノズル（50）から噴霧された過酸化水素水は、その自重により下方へ滴下する。その結果、集菌電極部（25）に付着した菌等が過酸化水素水によって除菌されるとともに洗い流される。下方へ滴下した水は、排水槽（16）に回収される。排水槽（16）に貯留された水は、ポンプ（53）によって流入管（51）へ吸い込まれ、貯留タンク（61）に回収される。電気集菌部（20）を流出した空気は、吹出口（13）から再び室内へ放出される。
【００５４】
−放電ユニットの運転動作−
本実施形態１に係る空気清浄装置（10）では、放電ユニット（62）が運転されることで、貯留タンク（61）内に過酸化水素が生成される。このような放電ユニット（62）の運転動作について詳細に説明する。
【００５５】
図２に示すように、絶縁ケーシング（71）の内の空間（S）が浸水した状態となっている。電源部（70）から電極対（64,65）に所定の直流電圧（例えば１ｋＶ）が印加されると、電極対（64,65）の間に電界が形成される。放電電極（64）の周囲は、絶縁ケーシング（71）で覆われている。このため、電極対（64,65）の間での漏れ電流が抑制されるとともに、開口（74）内の電流経路の電流密度が上昇した状態となる。
【００５６】
開口（74）内の電流密度が上昇すると、開口（74）内のジュール熱が大きくなる。その結果、絶縁ケーシング（71）では、開口（74）の近傍において、水の気化が促進されて気泡（B）が形成される。この気泡（B）は、図４に示すように、開口（74）のほぼ全域を覆う状態となり、対向電極（65）に導通する負極側の水と、正極側の放電電極（64）との間に気泡（B）が介在する。従って、この状態では、気泡（B）が、放電電極（64）と対向電極（65）との間での水を介した導電を阻止する抵抗として機能する。これにより、放電電極（64）と対向電極（65）との間の漏れ電流が抑制され、電極対（64,65）間では、所望とする電位差が保たれることになる。すると、気泡（B）内では、絶縁破壊に伴いストリーマ放電が発生する。
【００５７】
以上のようにして、気泡（B）でストリーマ放電が行われると、貯留タンク（61）内の水中では、水酸ラジカル等の活性種や過酸化水素等が生成される。水酸ラジカル等の活性種や過酸化水素は、ストリーマ放電に伴う熱によって貯留タンク（61）内を対流する。これにより、水中での活性種や過酸化水素の拡散が促される。また、気泡（B）でストリーマ放電が行われると、このストリーマ放電に伴ってこの気泡（B）でイオン風を生成し易くなる。よって、貯留タンク（61）内では、このイオン風を利用して、活性種や過酸化水素の拡散効果を更に向上できる。
【００５８】
以上のようにして、水中に拡散した水酸ラジカル等の活性種は、水中に含まれる被処理成分（例えばアンモニア等）を酸化分解して水の浄化に利用される。また、水中に拡散した過酸化水素は、水の殺菌に利用される。
【００５９】
−実施形態１の効果−
本実施形態１では、電気集菌部（20）で空気中の菌を捕捉した後、この菌に対して噴霧ノズル（50）から除菌・脱臭能力に優れた過酸化水素水を噴霧するため、室内の広範囲に過酸化水素水を散布する場合に比べてその使用量が少量で済むとともに確実に除菌することができる。ここで、過酸化水素水は、オゾン水よりも状態が安定しているので残存性が高い。そのため、電気集菌部（20）の内部に過酸化水素水が浸透するまでの間、除菌効果を持続させることができ、雑菌の除菌を効率的に行うことができる。また、過酸化水素は、分解しても酸素になるだけなので、オゾンガスのように後処理が必要となることがなく、取り扱いが容易である。
【００６０】
〈実施形態１の変形例〉
前記実施形態１では、絶縁ケーシング（71）の蓋部（73）に１つの開口（74）が形成されている。しかしながら、例えば図５及び図６に示すように、絶縁ケーシング（71）の蓋部（73）に複数の開口（74）を形成してもよい。この変形例では、絶縁ケーシング（71）の蓋部（73）が、略正方形板状に形成され、この蓋部（73）に複数の開口（74）が等間隔を置きながら碁盤目状に配列されている。一方、放電電極（64）及び対向電極（65）は、全ての開口（74）に跨るような正方形板状に形成されている。
【００６１】
この変形例においても、各開口（74）が、電流密度集中部、及び気相形成部として機能する。これにより、電源部（70）から電極対（64,65）に直流電圧が印加されると、各開口（74）の電流密度が上昇し、各開口（74）で気泡（B）が形成される。その結果、各気泡（B）でそれぞれストリーマ放電が生起され、水酸ラジカル等の活性種や、過酸化水素が生成される。
【００６２】
《実施形態２》
実施形態２に係る空気清浄装置（10）は、上述した実施形態１と放電ユニット（62）の構成が異なるものである。以下には、前記実施形態１と異なる点を主として説明する。
【００６３】
図７に示すように、実施形態２の放電ユニット（62）は、貯留タンク（61）の外側から内部に向かって挿入されて固定される、いわゆるフランジユニット式に構成されている。また、実施形態２の放電ユニット（62）は、放電電極（64）と対向電極（65）と絶縁ケーシング（71）とが一体的に組立てられている。
【００６４】
実施形態２の絶縁ケーシング（71）は、大略の外形が円筒状に形成されている。絶縁ケーシング（71）は、ケース本体（72）と蓋部（73）とを有している。
【００６５】
実施形態２のケース本体（72）は、ガラス質又は樹脂製の絶縁材料で構成されている。ケース本体（72）は、円筒状の基部（76）と、該基部（76）から貯留タンク（61）側に向かって突出する筒状壁部（77）と、該筒状壁部（77）の外縁部から更に貯留タンク（61）側に向かって突出する環状凸部（78）とを有している。また、ケース本体（72）には、環状凸部（78）の先端側に先端筒部（79）が一体に形成されている。基部（76）の軸心部には、円柱状の挿入口（76a）が軸方向に延びて貫通形成されている。筒状壁部（77）の内側には、挿入口（76a）と同軸となり、且つ挿入口（76a）よりも大径となる円柱状の空間（S）が形成されている。
【００６６】
実施形態２の蓋部（73）は、略円板状に形成されて環状凸部（78）の内側に嵌合している。蓋部（73）は、セラミックス材料で構成されている。蓋部（73）の軸心には、実施形態１と同様、蓋部（73）を上下に貫通する円形状の１つの開口（74）が形成されている。
【００６７】
放電電極（64）は、軸直角断面が円形状となる縦長の棒状の電極で構成されている。放電電極（64）は、基部（76）の挿入口（76a）に嵌合している。これにより、放電電極（64）は、絶縁ケーシング（71）の内部に収容されている。実施形態２では、放電電極（64）のうち貯留タンク（61）とは反対側の端部が、貯留タンク（61）の外部に露出される状態となる。このため、貯留タンク（61）の外部に配置される電源部（70）と、放電電極（64）とを電気配線によって容易に接続することができる。
【００６８】
放電電極（64）のうち貯留タンク（61）側の端部（64a）は、絶縁ケーシング（71）の内部の空間（S）に臨んでいる。なお、図７に示す例では、放電電極（64）の端部（64a）が、挿入口（76a）の開口面よりも上側（貯留タンク（61）側）に突出しているが、この端部（64a）の先端面を挿入口（76a）の開口面と略面一としてもよいし、端部（64a）を挿入口（76a）の開口面よりも下側に陥没させてもよい。また、放電電極（64）は、実施形態１と同様、開口（74）を有する蓋部（73）との間に所定の間隔が確保されている。
【００６９】
対向電極（65）は、円筒状の電極本体（65a）と、該電極本体（65a）から径方向外方へ突出する鍔部（65b）とを有している。電極本体（65a）は、絶縁ケーシング（71）のケース本体（72）に外嵌している。鍔部（65b）は、貯留タンク（61）の壁部に固定されて放電ユニット（62）を保持する固定部を構成している。放電ユニット（62）が貯留タンク（61）に固定された状態では、対向電極（65）の電極本体（65a）の一部が浸水された状態となる。
【００７０】
対向電極（65）は、電極本体（65a）よりも小径の内側筒部（65c）と、内側筒部（65c）と電極本体（65a）との間に亘って形成される連接部（65d）とを有している。内側筒部（65c）及び連接部（65d）は、貯留タンク（61）内の水中に浸漬している。内側筒部（65c）は、その内部に円柱空間（67）を形成している。内側筒部（65c）の軸方向の一端は、蓋部（73）と当接して蓋部（73）を保持する保持部を構成している。また、電極本体（65a）と内側筒部（65c）と連接部（65d）の間には、ケース本体（72）の先端筒部（79）が内嵌している。内側筒部（65c）の軸方向の他端側には、円柱空間（67）を覆うようにメッシュ状の漏電防止材（68）が設けられている。この漏電防止材（68）は、対向電極（65）と接触することで、実質的にアースされている。これにより、漏電防止材（68）は、貯留タンク（61）の内部の空間（水中）のうち、円柱空間（67）の内側から外側への漏電を防止している。
【００７１】
対向電極（65）は、電極本体（65a）の一部が貯留タンク（61）の外部に露出される状態となる。このため、電源部（70）と対向電極（65）とを電気配線によって容易に接続することができる。
【００７２】
−放電ユニットの運転動作−
図７に示すように、絶縁ケーシング（71）の内の空間（S）が浸水した状態となっている。電源部（70）から電極対（64,65）に所定の直流電圧（例えば１ｋＶ）が印加されると、開口（74）の内部の電流密度が上昇していく。
【００７３】
図７に示す状態から、電極対（64,65）へ更に直流電圧が継続して印加されると、開口（74）内の水が気化されて気泡（B）が形成される（図８を参照）。この状態では、気泡（B）が開口（74）のほぼ全域を覆う状態となり、円柱空間（67）内の負極側の水と、放電電極（64）との間に気泡（B）による抵抗が付与される。これにより、放電電極（64）と対向電極（65）との間の電位差が保たれ、気泡（B）でストリーマ放電が発生する。その結果、水中では、水酸ラジカルや過酸化水素を生成される。
【００７４】
〈実施形態２の変形例〉
前記実施形態２では、円板状の蓋部（73）の軸心に１つの開口（74）を形成しているが、この蓋部（73）に複数の開口（74）を形成してもよい。図９に示す例では、蓋部（73）の軸心を中心とする仮想ピッチ円上に、５つの開口（74）が等間隔置きに配列されている。このように蓋部（73）に複数の開口（74）を形成することで、各開口（74）の近傍でそれぞれストリーマ放電を生起させることができる。
【００７５】
《その他の実施形態》
前記実施形態については、以下のような構成としてもよい。
【００７６】
上述した各実施形態の電源部（70）には、ストリーマ放電の放電電力を一定に制御する定電力制御部を用いている。しかしながら、定電力制御部に代えて、ストリーマ放電時の放電電流を一定に制御する定電流制御部を設けることもできる。この定電流制御を行うと、水の導電率によらず放電が安定するため、スパークの発生も未然に回避できる。
【００７７】
また、上述した各実施形態では、電源部（70）の正極に放電電極（64）を接続し、電源部（70）の負極に対向電極（65）を接続している。しかしながら、電源部（70）の負極に放電電極（64）を接続し、電源部（70）の正極に対向電極（65）を接続することで、電極対（64,65）の間で、いわゆるマイナス放電を行うようにしてもよい。
【００７８】
また、前記実施形態では、電気集菌部（20）が、荷電電極部（21）と集菌電極部（25）とを備えている構成について説明したが、この形態に限定するものではない。例えば、図１０に示すように、集菌電極部（25）の代わりに空気清浄フィルタ（27）を配置して、荷電電極部（21）で帯電させた菌を、空気清浄フィルタ（27）に電気的に誘引して捕捉するようにしてもよい。また、荷電電極部（21）を設けることなく、空気清浄フィルタ（27）のみで菌を捕捉するようにしてもよい。
【産業上の利用可能性】
【００７９】
以上説明したように、本発明は、オゾン水よりも状態が安定しており且つ後処理が容易な除菌水を用いて、室内の空気を効率良く除菌できるという実用性の高い効果が得られることから、きわめて有用で産業上の利用可能性は高い。
【符号の説明】
【００８０】
10    空気清浄装置
11    ケーシング
20    電気集菌部（集菌部）
25    集菌電極部（電気集塵部）
27    空気清浄フィルタ
50    噴霧ノズル（噴霧部）
53    ポンプ（水回収部）
60    供給ユニット（供給部）
61    貯留タンク
64    放電電極（電極対）
65    対向電極（電極対）
70    電源部（直流電源）
【図１】
2012075485.tif 000003
【図２】
2012075485.tif 000004
【図３】
2012075485.tif 000005
【図４】
2012075485.tif 000006
【図５】
2012075485.tif 000007
【図６】
2012075485.tif 000008
【図７】
2012075485.tif 000009
【図８】
2012075485.tif 000010
【図９】
2012075485.tif 000011
【図１０】
2012075485.tif 000012